(57)【要約】      （修正有）【課題】砂地ウォーキングと同様のシェイプアップ効果および健康増進効果を手軽に得ることができるとともに、簡単かつ安価に製造することができる中敷を提供する。【解決手段】中敷１０は、少なくとも爪先を支持する爪先支持部を有する中敷本体１２を備え、中敷本体１２は、低反発性樹脂からなるシート状の第１低反発層２４と、第１低反発層２４の上面に設けられ、低反発性樹脂からなるシート状の第２低反発層２６とを有し、第２低反発層と第１低反発層とは硬度が異なる。【選択図】図３
0003167048.tif 000002
【実用新案登録請求の範囲】
【請求項１】
履物の底部を構成する履物底の上面に装着される中敷であって、
少なくとも爪先を支持する爪先支持部を有する中敷本体を備え、
前記中敷本体は、低反発性樹脂からなるシート状の第１低反発層と、前記第１低反発層の上面に設けられ、低反発性樹脂からなるシート状の第２低反発層とを有し、
前記第２低反発層と前記第１低反発層とは硬度が異なることを特徴とする、中敷。
【請求項２】
前記第２低反発層の硬度は前記第１低反発層の硬度より低いことを特徴とする、請求項１に記載の中敷。
【請求項３】
前記第２低反発層の反発弾性率は前記第１低反発層の反発弾性率より低いことを特徴とする、請求項１または２に記載の中敷。
【請求項４】
前記第１低反発層および前記第２低反発層は同種の低反発性樹脂で形成され、
前記第２低反発層の密度は前記第１低反発層の密度より低いことを特徴とする、請求項１ないし３のいずれかに記載の中敷。
【請求項５】
前記中敷本体は、踵を支持する踵支持部と、土踏まずを支持する土踏まず支持部とをさらに有し、
前記第１低反発層における前記踵支持部を構成する部分の下面に設けられた基部を有する踵保持部材をさらに備え、
前記基部は弾性材料で形成される、請求項１ないし４のいずれかに記載の中敷。
【請求項６】
前記踵保持部材は、前記基部の外側縁から上方に突出して設けられ、前記踵支持部で支持された踵の外側部を支持する外側壁を有する、請求項５に記載の中敷。
【請求項７】
前記踵保持部材は、前記基部に設けられた空部を有し、
前記空部に嵌合される緩衝部材をさらに備え、
前記緩衝部材の硬度は前記基部の硬度より低いことを特徴とする、請求項５または６に記載の中敷。
【請求項８】
前記中敷本体では、母趾球に対応する部分の厚さが部分的に厚くなっている、請求項１ないし７のいずれかに記載の中敷。
【考案の詳細な説明】
【技術分野】
【０００１】
本考案は、ウォーキングによるシェイプアップ効果を高めることができる、中敷に関する。
【背景技術】
【０００２】
シェイプアップを目的とした手軽な運動としてウォーキングの人気が高いが、舗装路等のような硬い路面を歩く一般的なウォーキングでは、消費カロリー量が少ないため、短時間でシェイプアップ効果を得ることは困難である。一方、低反発の砂地を歩くウォーキング（以下、「砂地ウォーキング」という。）では、消費カロリー量が高くなるため、短時間でもシェイプアップ効果を得ることができる。しかし、日常生活の環境下で砂地が存在することは稀であり、砂地ウォーキングを手軽に行うことは困難である。
【０００３】
そこで、特許文献１では、砂が封入された中敷を靴底の上面に装着して使用することが提案されている。この中敷を使用すると、砂地ウォーキングと同様に短時間でもシェイプアップ効果を得ることができる。また、砂の粒子が移動することによって、中敷の上面が足裏に沿って変形するので、足裏に存在する多くのつぼが刺激されて健康増進が図られる。
【先行技術文献】
【特許文献】
【０００４】
【特許文献１】第３０４４８３５号
【考案の概要】
【考案が解決しようとする課題】
【０００５】
しかし、特許文献１に記載された従来技術では、中敷に天然の砂または砂状の粒状体を封入する必要があるため、製造が容易ではなく、製造コストが高くなるという課題があった。
【０００６】
本考案は、上記課題を解決するためになされたものであり、砂地ウォーキングと同様のシェイプアップ効果および健康増進効果を手軽に得ることができるとともに、簡単かつ安価に製造することができる中敷を提供することを目的とする。
【課題を解決するための手段】
【０００７】
上記課題を解決するために、本考案に係る中敷は、履物の底部を構成する履物底の上面に装着される中敷であって、少なくとも爪先を支持する爪先支持部を有する中敷本体を備え、前記中敷本体は、低反発性樹脂からなるシート状の第１低反発層と、前記第１低反発層の上面に設けられ、低反発性樹脂からなるシート状の第２低反発層とを有し、前記第２低反発層と前記第１低反発層とは硬度が異なることを特徴とする。
【０００８】
一般的な砂地においては、上層部の砂の密度が下層部の砂の密度より低いため、上層部と下層部とでは硬度が異なっている。また、砂の粒子からなる砂地は、低反発性を有している。上記構成では、中敷本体が第１低反発層および第２低反発層で構成されており、第２低反発層と第１低反発層とは硬度が異なっているので、中敷本体に砂地とほぼ同じ機械的特性を持たせることができる。したがって、中敷を履物底の上面に装着して使用すると、砂地ウォーキングと同様のシェイプアップ効果および健康増進効果を得ることができる。また、上記構成では、第１低反発層および第２低反発層を低反発性樹脂によってシート状に形成しているので、中敷を簡単かつ安価に製造することができる。
【０００９】
前記第２低反発層の硬度は前記第１低反発層の硬度より低いことを特徴としてもよい。
【００１０】
この構成では、中敷本体の機械的特性を砂地（上層部の硬度は下層部の硬度より低い。）の機械的特性により近づけることができる。
【００１１】
前記第２低反発層の反発弾性率は前記第１低反発層の反発弾性率より低いことを特徴としてもよい。
【００１２】
この構成では、中敷本体の機械的特性を砂地（上層部の反発弾性率は下層部の反発弾性率より低い。）の機械的特性により近づけることができる。
【００１３】
前記第１低反発層および前記第２低反発層は同種の低反発性樹脂で形成され、前記第２低反発層の密度は前記第１低反発層の密度より低いことを特徴としてもよい。
【００１４】
この構成では、第１低反発層および第２低反発層が同種の低反発性樹脂で形成されているので、中敷本体の機械的特性を砂地（上層部および下層部が同種の砂で構成されている。）の機械的特性により近づけることができる。
【００１５】
前記中敷本体は、踵を支持する踵支持部と、土踏まずを支持する土踏まず支持部とをさらに有し、前記第１低反発層における前記踵支持部を構成する部分の下面に設けられた基部を有する踵保持部材をさらに備え、前記基部は弾性材料で形成されてもよい。
【００１６】
この構成では、地面から踵に作用する衝撃を弾性材料で形成された基部で吸収することができるので、踵に対して過剰な負担が掛かるのを防止することができる。
【００１７】
前記踵保持部材は、前記基部の外側縁から上方に突出して設けられ、前記踵支持部で支持された踵の外側部を支持する外側壁を有してもよい。
【００１８】
この構成では、踵保持部材の外側壁で踵の外側部を支持することができるので、歩行時の体重移動が足裏の外側に過度に偏って行われるのを防止することができる。したがって、歩行時の正常な体重移動を促すことが可能であり、身体（足を含む。）に過剰な負担が掛かるのを防止することができる。
【００１９】
前記踵保持部材は、前記基部に設けられた空部を有し、前記空部に嵌合される緩衝部材をさらに備え、前記緩衝部材の硬度は前記基部の硬度より低いことを特徴としてもよい。
【００２０】
この構成では、緩衝部材の硬度が基部の硬度より低いので、踵から踵支持部に荷重が作用すると、踵支持部における緩衝部材と対向する部分がその周辺の部分より大きく沈下し、これにより生じた凹部によって踵が安定的に保持される。
【００２１】
前記中敷本体では、母趾球に対応する部分の厚さが部分的に厚くなっていてもよい。
【００２２】
この構成では、母趾球から爪先支持部に伝達される蹴り出しの力が、第２低反発層における部分的に厚くなった部分で十分に吸収されるので、高いシェイプアップ効果を得ることができる。
【考案の効果】
【００２３】
本考案に係る中敷によれば、中敷本体に砂地とほぼ同じ機械的特性を持たせることが可能であり、履物底の上面に装着して使用することにより、砂地ウォーキングと同様のシェイプアップ効果および健康増進効果を得ることができる。また、中敷本体の第１低反発層および第２低反発層を低反発性樹脂によってシート状に形成することができるので、簡単かつ安価に製造することができる。
【図面の簡単な説明】
【００２４】
【図１】実施形態に係る中敷の構成を示す上面側から見た斜視図である。
【図２】実施形態に係る中敷の構成を示す下面側から見た斜視図である。
【図３】実施形態に係る中敷の構成を示す上面側から見た分解斜視図である。
【考案を実施するための形態】
【００２５】
以下に、本考案の好ましい実施形態を、図面を参照しながら説明する。
【００２６】
図１は、実施形態に係る中敷１０の構成を示す上面側から見た斜視図であり、図２は、中敷１０の構成を示す下面側から見た斜視図である。また、図３は、中敷１０の構成を示す上面側から見た分解斜視図である。
【００２７】
図１および図２に示すように、中敷１０は、靴等のような履物（図示省略）の底部を構成する履物底（図示省略）の上面に、着脱自在または固定的に装着されるものであり、図３に示すように、中敷本体１２と、踵保持部材１４と、緩衝部材１６とを備えている。
【００２８】
図１に示すように、中敷本体１２は、足の踵を支持する踵支持部１８と、足の爪先を支持する爪先支持部２０と、足の土踏まずを支持する土踏まず支持部２２とを有するシート状の部材であり、図３に示すように、第１低反発層２４と、第２低反発層２６と、表面層２８とを有している。
【００２９】
図３に示すように、第１低反発層２４は、低反発性ウレタンフォーム等のような低反発性樹脂（本実施形態では低反発性ウレタンフォーム）からなるシート状の部材であり、踵支持部１８の下層部を構成する踵支持下層部１８ａと、爪先支持部２０の下層部を構成する爪先支持下層部２０ａと、土踏まず支持部２２の下層部を構成する土踏まず支持下層部２２ａとを有している。第１低反発層２４の硬度（ＳＲＩＳ０１０１に準じたアスカーＣ硬度：以下、同じ。）および反発弾性率（ＪＩＳ  Ｋ  ６２５５：以下、同じ。）は、材料である低反発性樹脂の密度を適宜設計することによって調整されている。
【００３０】
図３に示すように、第２低反発層２６は、低反発性ウレタンフォーム等のような低反発性樹脂（本実施形態では低反発性ウレタンフォーム）からなるシート状の部材であり、踵支持部１８の上層部を構成する踵支持上層部１８ｂと、爪先支持部２０の上層部を構成する爪先支持上層部２０ｂと、土踏まず支持部２２の上層部を構成する土踏まず支持上層部２２ｂとを有している。
【００３１】
第２低反発層２６の硬度および反発弾性率は、材料である低反発性樹脂の密度を適宜設計することによって調整されている。本実施形態では、第２低反発層２６の硬度が第１低反発層２４の硬度より低く、かつ、第２低反発層２６の反発弾性率が第１低反発層２４の反発弾性率より低くなるように低反発性ウレタンフォームの密度が設計されている。
【００３２】
つまり、本実施形態では、第１低反発層２４および第２低反発層２６が同種の低反発性樹脂（低反発性ウレタンフォーム）で形成されているので、低反発性樹脂の密度が同じであれば、硬度および反発弾性率も同じになる。そこで、第２低反発層２６の硬度および反発弾性率が第１低反発層２４の硬度および反発弾性率より低くなるように、第２低反発層２６を構成する低反発性樹脂（低反発性ウレタンフォーム）の密度が第１低反発層２４を構成する低反発性樹脂（低反発性ウレタンフォーム）の密度より低く設計されている。
【００３３】
図３に示すように、表面層２８は、足裏が接したときの触感や、通気性を向上するために、第２低反発層２６の上面に接合されるものであり、不織布、織布、編布等のような繊維構造体によって構成されている。
【００３４】
そして、第１低反発層２４の上面に第２低反発層２６が接着または熱溶着等によって接合されており、第２低反発層２６の上面に表面層２８が接着または熱溶着等によって接合されている。なお、表面層２８は、必ずしも必要ではなく、たとえば、中敷１０が適用される履物（靴等）の通気性が高い場合には、表面層２８は省略されてもよい。
【００３５】
図１に示すように、踵保持部材１４は、中敷本体１２の踵支持部１８で支持された踵を保持するものであり、図２に示すように、第１低反発層２４における踵支持部１８（図１）を構成する部分の下面に設けられた基部３０を有している。図２に示すように、基部３０は地面から踵に作用する衝撃を吸収する緩衝部であり、基部３０の前後方向長さは、その前端縁３０ａが中敷本体１２における土踏まず支持部２２に位置するように設計されている。
【００３６】
また、図３に示すように、踵保持部材１４は、基部３０の外側縁から上方に突出して設けられ、踵の外側部を支持する外側壁３２ａと、基部３０の内側縁から上方に突出して設けられ、踵の内側部を支持する内側壁３２ｂと、基部３０の後側部から上方に突出して設けられ、踵の後側部を支持する後側壁３２ｃとを有している。基部３０、外側壁３２ａ、内側壁３２ｂおよび後側壁３２ｃは、エチレン−酢酸ビニル樹脂（ＥＶＡ）、ポリウレタンおよびゴム等のような弾性材料（本実施形態では硬質ＥＶＡ）によって一体的に形成されており、踵保持部材１４の全体が踵を包み込むカップ形状になっている。つまり、本実施形態に係る中敷１０は、いわゆる「カップインソール」である。
【００３７】
そして、図３に示すように、基部３０には、緩衝部材１６が嵌め込まれる「空部」としての貫通孔３４が形成されている。貫通孔３４の形状は、特に限定されるものではないが、本実施形態では、踵の形状に合致するように略円形に設計されている。
【００３８】
図３に示すように、緩衝部材１６は、シート状または板状の部材であり、ポリウレタン、エチレン−酢酸ビニル樹脂（ＥＶＡ）およびゴム等のような緩衝性を有する材料（本実施形態ではウレタンフォーム）によって略円形に形成されている。緩衝部材１６の硬度は、基部３０の硬度より低く設計されている。したがって、踵から踵支持部１８に荷重が作用すると、踵支持部１８における緩衝部材１６と対向する部分がその周辺の部分より大きく沈下し、これにより生じた凹部（図示省略）によって踵が安定的に保持される。
【００３９】
中敷１０を履物底（靴底等）の上面に装着すると、中敷１０における踵保持部材１４の外側壁３２ａ、内側壁３２ｂおよび後側壁３２ｃが、足を収容する部分（アッパー等）の踵部の内面に沿って配置される。したがって、中敷１０が装着された履物（靴等）を履いたときには、踵保持部材１４によって踵を適正位置に保持することが可能であり、歩行時における正常な体重移動を促すことができる。また、中敷本体１２では、第２低反発層２６および第１低反発層２４の硬度が異なっており、第２低反発層２６が第１低反発層２４より低硬度かつ低反発であるため、中敷本体１２に砂地とほぼ同じ機械的特性を持たせることが可能であり、砂地ウォーキングと同様のシェイプアップ効果および健康増進効果を得ることができる。
【００４０】
なお、上述の実施形態では、中敷本体１２が踵支持部１８、爪先支持部２０および土踏まず支持部２２を有しているが、他の実施形態（図示省略）では、中敷本体１２が少なくとも爪先支持部２０を有していればよく、踵支持部１８および土踏まず支持部２２の少なくとも一方は省略されてもよい。この場合でも、爪先支持部２０に砂地とほぼ同じ機械的特性を持たせることができるので、爪先支持部２０において砂地ウォーキングと同様のシェイプアップ効果および健康増進効果を得ることができる。
【００４１】
また、上述の実施形態では、第１低反発層２４と第２低反発層２６とが同種の低反発性樹脂（低反発性ウレタンフォーム）で形成されているが、他の実施形態（図示省略）では、これらが異種の低反発性樹脂で形成されてもよい。この場合でも、第２低反発層２６および第１低反発層２４を硬度が異なるように設計することにより、砂地ウォーキングと同様のシェイプアップ効果および健康増進効果を得ることができる。この場合でも、第２低反発層２６の硬度を第１低反発層２４の硬度より低く設計することが望ましい。また、第２低反発層２６の反発弾性率を第１低反発層２４の反発弾性率より低く設計することが望ましい。
【００４２】
また、上述の実施形態では、中敷本体１２の厚さが全体に亘って略均一であるが、他の実施形態（図示省略）では、中敷本体１２の厚さが爪先支持部２０の母趾球に対応する部分において部分的に厚くなっていてもよい。この場合には、母趾球から爪先支持部２０に伝達される足を蹴り出す力を、中敷本体１２の部分的に厚くなった部分で吸収および分散させることができるので、シェイプアップ効果をより高めることができる。
【００４３】
また、上述の実施形態では、踵保持部材１４が外側壁３２ａ、内側壁３２ｂおよび後側壁３２ｃを有しているが、他の実施形態（図示省略）では、これらの全てが省略されてもよいし、内側壁３２ｂおよび後側壁３２ｃの少なくとも一方が省略されてもよい。これらの全てが省略された場合でも、基部３０によって地面から踵に作用する衝撃を吸収することができるので、踵に対して過剰な負担が掛かるのを防止することができる。また、内側壁３２ｂおよび後側壁３２ｃの少なくとも一方が省略された場合でも、外側壁３２ａによって踵の外側部を支持することができるので、歩行時の体重移動が足裏の外側に過度に偏って行われるのを防止でき、正常な体重移動を促すことができる。
【００４４】
また、上述の実施形態では、基部３０に形成された貫通孔３４が、緩衝部材１６が嵌め込まれる「空部」として用いられているが、他の実施形態（図示省略）では、基部３０の上面または下面に形成された凹部が、緩衝部材１６が嵌め込まれる「空部」として用いられてもよい。
【産業上の利用可能性】
【００４５】
本考案に係る「中敷」は、婦人靴、紳士靴、スポーツ靴、トレッキング靴等に幅広く利用可能である。
【符号の説明】
【００４６】
１０…  中敷
１２…  中敷本体
１４…  踵保持部材
１６…  緩衝部材
１８…  踵支持部
２０…  爪先支持部
２２…  土踏まず支持部
２４…  第１低反発層
２６…  第２低反発層
２８…  表面層
３０…  基部
３２ａ…  外側壁
３２ｂ…  内側壁
３２ｃ…  後側壁
３４…  貫通孔（空部）
【図１】
0003167048.tif 000003
【図２】
0003167048.tif 000004
【図３】
0003167048.tif 000005